(57)【要約】【課題】本発明は、疲労性能の低下を防止しつつ、芯綱の密度を容易に向上させることを目的とするものである。【解決手段】エレベータ用ロープ２８は、芯綱１と、芯綱１の外周に直接撚り合わされている複数本の鋼製の外層ストランド２とを有している。芯綱１は、互いに撚り合わされている複数本の芯綱メインストランド３と、互いに隣接する芯綱メインストランド３間の間隙（凹部）を充填する複数本の芯綱サブストランド４とを有している。芯綱サブストランド４の断面は、芯綱メインストランド３の断面よりも小さい。芯綱メインストランド３及び芯綱サブストランド４は、いずれも繊維製の複数本のヤーンを撚り合わせて構成されている。【選択図】図２
2014061958.tif 000002
【特許請求の範囲】
【請求項１】
複数本の鋼製の外層ストランドが、前記外層ストランドよりも柔軟な材料からなる芯綱の外周に撚り合わされているエレベータ用ロープであって、
前記芯綱は、互いに撚り合わされている複数本の芯綱メインストランドと、断面が前記芯綱メインストランドよりも小さく、互いに隣接する前記芯綱メインストランド間の間隙を充填する複数本の芯綱サブストランドとを有していることを特徴とするエレベータ用ロープ。
【請求項２】
前記芯綱は、３本の前記芯綱メインストランドと、３本の前記芯綱サブストランドとを有していることを特徴とする請求項１記載のエレベータ用ロープ。
【請求項３】
前記芯綱メインストランド及び前記芯綱サブストランドは、いずれも繊維製の複数本のヤーンを撚り合わせて構成されていることを特徴とする請求項１又は請求項２に記載のエレベータ用ロープ。
【請求項４】
前記芯綱サブストランドは、モノフィラメントであることを特徴とする請求項１又は請求項２に記載のエレベータ用ロープ。
【請求項５】
前記芯綱の外周が樹脂で被覆されていることを特徴とする請求項１から請求項４までのいずれか１項に記載のエレベータ用ロープ。
【請求項６】
駆動シーブを有する巻上機、
複数本の鋼製の外層ストランドが、前記外層ストランドよりも柔軟な材料からなる芯綱の外周に撚り合わされており、前記駆動シーブに巻き掛けられているエレベータ用ロープ、及び
前記エレベータ用ロープにより吊り下げられており、前記巻上機により昇降されるかご
を備え、
前記芯綱は、互いに撚り合わされている複数本の芯綱メインストランドと、断面が前記芯綱メインストランドよりも小さく、互いに隣接する前記芯綱メインストランド間の間隙を充填する複数本の芯綱サブストランドとを有していることを特徴とするエレベータ装置。
【発明の詳細な説明】
【技術分野】
【０００１】
この発明は、複数本の鋼製の外層ストランドが、外層ストランドよりも柔軟な材料からなる芯綱の外周に撚り合わされているエレベータ用ロープ、及びそれを用いたエレベータ装置に関するものである。
【背景技術】
【０００２】
従来のエレベータ用ロープでは、繊維製の芯綱の外周に複数本の鋼製の外層ストランドが撚り合わされている。各外層ストランドは、複数本の鋼製素線を撚り合わせて構成されている。芯綱は、３本の芯綱ストランドを撚り合わせて構成されている。各芯綱ストランドは、繊維を束ねてなる多数のヤーンにより構成されている。また、芯綱の断面は、芯綱ストランドを撚り合わせる際にダイスに通すことにより、円形に加工される。
【０００３】
一方、芯綱の密度（＝剛性）を向上させるために、芯綱ストランドの本数を増やして多層に配置するロープ構造も提案されている（例えば、特許文献１参照）。
【先行技術文献】
【特許文献】
【０００４】
【特許文献１】特開平４−２１４４８８号公報
【発明の概要】
【発明が解決しようとする課題】
【０００５】
従来の３本の芯綱ストランドを撚り合わせた芯綱を有するエレベータ用ロープでは、全体のロープ径が大きくなると、各芯綱ストランドの直径も大きくなり、芯綱の断面を円形に加工するための加工代が大きくなる。このため、芯綱の断面を円形に加工するのが難しく、芯綱の直径が太くなり、エレベータ用ロープ全体の直径が過大になる恐れがある。また、芯綱ストランド間に隙間が残ると、芯綱の密度が低くなり、エレベータ用ロープの疲労性能が低下する。さらに、芯綱の断面を無理に円形に加工すると、芯綱ストランドを構成している繊維が切れ、やはりエレベータ用ロープの疲労性能が低下する。
【０００６】
また、芯綱ストランドの本数を増やして多層に配置する場合、既存の製造装置での製造ができないため、製造が難しく、コストが高くなる。
【０００７】
この発明は、上記のような課題を解決するためになされたものであり、疲労性能の低下を防止しつつ、芯綱の密度を容易に向上させることができるエレベータ用ロープ、及びそれを用いたエレベータ装置を得ることを目的とする。
【課題を解決するための手段】
【０００８】
この発明に係るエレベータ用ロープは、複数本の鋼製の外層ストランドが、外層ストランドよりも柔軟な材料からなる芯綱の外周に撚り合わされており、芯綱は、互いに撚り合わされている複数本の芯綱メインストランドと、断面が芯綱メインストランドよりも小さく、互いに隣接する前記芯綱メインストランド間の間隙を充填する複数本の芯綱サブストランドとを有している。
【発明の効果】
【０００９】
この発明のエレベータ用ロープは、芯綱メインストランドよりも断面の小さい芯綱サブストランドにより、互いに隣接する芯綱メインストランド間の間隙を充填したので、芯綱メインストランドの径が大きい場合でも、芯綱の断面を円形に加工するのが容易になり、疲労性能の低下を防止しつつ、芯綱の密度を容易に向上させることができる。
【図面の簡単な説明】
【００１０】
【図１】この発明の実施の形態１によるエレベータ装置を示す構成図である。
【図２】図１のエレベータ用ロープの断面図である。
【図３】図２の芯綱の製造途中の状態を示す断面図である。
【図４】図３の芯綱の断面を円形に加工した状態を示す断面図である。
【図５】この発明の実施の形態２によるエレベータ用ロープの断面図である。
【発明を実施するための形態】
【００１１】
以下、この発明を実施するための形態について、図面を参照して説明する。
実施の形態１．
図１はこの発明の実施の形態１によるエレベータ装置を示す構成図である。図において、昇降路２１の上部には、機械室２２が設けられている。機械室２２内には、機械台２３が設置されている。機械台２３上には、巻上機２４が支持されている。巻上機２４は、駆動シーブ２５及び巻上機本体２６を有している。巻上機本体２６は、駆動シーブ２５を回転させる巻上機モータと、駆動シーブ２５の回転を制動する巻上機ブレーキとを有している。
【００１２】
機械台２３には、そらせ車２７が取り付けられている。駆動シーブ２５及びそらせ車２７には、懸架手段としての複数本（図では１本のみ示す）のエレベータ用ロープ２８が巻き掛けられている。駆動シーブ２５の外周には、エレベータ用ロープ２８が挿入される複数のロープ溝が設けられている。
【００１３】
かご２９及び釣合おもり３０は、エレベータ用ロープ２８により昇降路２１内に吊り下げられており、巻上機２４により昇降路２１内を昇降される。昇降路２１内には、かご２９の昇降を案内する一対のかごガイドレール３１と、釣合おもり３０の昇降を案内する一対の釣合おもりガイドレール３２とが設置されている。かご２９には、かごガイドレール３１に係合してかご２９を非常停止させる非常止め装置３３が搭載されている。
【００１４】
図２は図１のエレベータ用ロープ２８の断面図である。エレベータ用ロープ２８は、芯綱１と、芯綱１の外周に直接撚り合わされている複数本（この例では８本）の鋼製の外層ストランド２とを有している。
【００１５】
芯綱１は、互いに撚り合わされている複数本（この例では３本）の芯綱メインストランド３と、互いに隣接する芯綱メインストランド３間の間隙（凹部）を充填する複数本（この例では３本）の芯綱サブストランド４とを有している。芯綱サブストランド４の長さ方向に直交する断面は、芯綱メインストランド３の長さ方向に直交する断面よりも小さい。即ち、芯綱サブストランド４は、全長に渡って芯綱メインストランド３よりも細い。この例では、製造時（芯綱１の断面が円形に加工される前）の芯綱サブストランド４の直径は、芯綱メインストランド３の直径の半分以下である。
【００１６】
芯綱メインストランド３及び芯綱サブストランド４は、外層ストランド２よりも柔軟な材料により構成されている。この例では、芯綱メインストランド３及び芯綱サブストランド４は、いずれも繊維製の複数本のヤーンを撚り合わせて構成されている。
【００１７】
各外層ストランド２は、中心に配置されている第１の外層ストランド素線（芯素線）５と、第１の外層ストランド素線５の外周に撚り合わされている複数本（この例では９本）の第２の外層ストランド素線（中間素線）６と、第２の外層ストランド素線６の層の外周に撚り合わされている複数本（この例では９本）の第３の外層ストランド素線（外層素線）７とを有している。
【００１８】
第１ないし第３の外層ストランド素線５〜７は、全て鋼製素線である。第２の外層ストランド素線６の直径は、第１及び第３の外層ストランド素線５，７の直径よりも小さい。第３の外層ストランド素線７の直径は、第１の外層ストランド素線５の直径とほぼ同じである。
【００１９】
図３は図２の芯綱１の製造途中の状態を示す断面図である。芯綱メインストランド３及び芯綱サブストランド４は、いずれも断面円形に製造され、図３に示すように撚り合わされる。このとき、芯綱サブストランド４は、互いに隣接する芯綱メインストランド３間に形成される凹部（溝部）に沿って撚り合わされる。また、撚り合わされた芯綱メインストランド３及び芯綱サブストランド４は、ダイスに通され、図４に示すように、芯綱１全体の断面形状が円形になるように加工される。
【００２０】
このようなエレベータ用ロープ２８では、芯綱メインストランド３よりも小径の芯綱サブストランド４により、互いに隣接する芯綱メインストランド３間の間隙を充填したので、芯綱メインストランド３の径が大きい場合でも、芯綱１の断面を円形に加工する際の加工代が小さくて済み、加工が容易になる。
【００２１】
これにより、変形が少なく、密度が高い芯綱１を実現することができ、芯綱１を構成している繊維の切れもなく、エレベータ用ロープ２８の疲労性能の低下を防止することができる。
【００２２】
また、外層ストランド２を撚り合わせる際にも、従来のようにロープ径が太くなることがなく、芯綱１の密度向上が可能となる。
【００２３】
ここで、一般的なエレベータ用ロープの芯綱は、従来から３本のストランドで構成されているため、一般的な芯綱製造装置は、３本のストランドを撚り合わせるように構成されている。このため、芯綱密度を向上させるために、芯綱の多ストランド構造化（特許文献１）を行うと、一般的な芯綱製造装置では製造できず、他業種の繊維ロープ製造装置で製造する必要が生じ、製造コストが増大する。また、芯綱に含浸させるロープ油も異なるため、他業種の繊維ロープ製造装置での量産は現実的には難しい。
【００２４】
これに対して、実施の形態１のように３本の芯綱メインストランド３に３本の芯綱サブストランド４を配置する構造では、ストランド本数が従来の等倍であり、また全てのストランドが同じピッチで撚られるため、芯綱１を既存設備により容易に製造することができる。
【００２５】
また、芯綱メインストランド３には、従来の芯綱と同様に、ロープ油（ロープグリース）を含有する機能と、エレベータ用ロープ２８に荷重が掛かった際に外層ストランド２から受ける負荷に耐える機能（芯綱１の剛性を保持する機能）とが求められる。
【００２６】
一方、芯綱サブストランド４に求められる主な機能は、芯綱１の密度向上（＝隙間充填）である。このため、芯綱サブストランド４の材料選択には、芯綱メインストランド３の材料選択に比べて自由度がある。
【００２７】
例えば、芯綱メインストランド３を構成するヤーンが安価な場合は、芯綱サブストランド４も芯綱メインストランド３と同じ材料で構成すればよいが、芯綱メインストランド３を構成するヤーンが高価な場合には、より安価な材料で芯綱メインストランド３を構成することにより、コストの低減を図ることができる。
【００２８】
また、芯綱サブストランド４には必ずしもロープ油を含浸させる必要はないので、芯綱サブストランド４をモノフィラメントで構成してもよい。
【００２９】
実施の形態２．
次に、図５はこの発明の実施の形態２によるエレベータ用ロープ２８の断面図である。実施の形態２の芯綱１は、芯綱メインストランド３及び芯綱サブストランド４に加えて、外周に被覆された樹脂製の芯綱被覆体８を有している。他の構成は、実施の形態１と同様である。
【００３０】
このようなエレベータ用ロープ２８では、芯綱１の最外周に芯綱被覆体８が設けられているので、芯綱１の断面形状をより真円に近い形状にすることができ、ロープ性能をさらに向上させることができる。
【００３１】
なお、エレベータ用ロープ全体の断面構成は、実施の形態１、２の構成に限定されない。例えば、外層ストランド２の本数や断面構成を変更したり、芯綱メインストランド３及び芯綱サブストランド４の本数を変更したりしてもよい。
また、実施の形態１、２では、芯綱メインストランド３と同数の芯綱サブストランド４を用いたが、例えば、隣接する芯綱メインストランド３間の間隙に、より細い芯綱メインストランドを複数本ずつ配置することにより、芯綱メインストランド３とは異なる数の芯綱サブストランド４を用いてもよい。
さらに、実施の形態１、２では、鋼製ストランドの層として外層ストランド２の層のみを配置したが、鋼製ストランドの層を複数層配置してもよい。
さらにまた、外層ストランド２の製造時に、ダイスにより外層ストランド２を外周から圧縮（塑性加工）することで、第３の外層ストランド素線７の断面形状を異形化してもよい。これにより、駆動シーブ２５（図１）のロープ溝とエレベータ用ロープ２８との接触面圧を低減することができる。
また、この発明のエレベータ用ロープが適用されるエレベータ装置のタイプは、図１のタイプに限定されるものではない。例えば、機械室レスエレベータ、２：１ローピング方式のエレベータ装置、マルチカー方式のエレベータ装置、又はダブルデッキエレベータ等にも、この発明は適用できる。
さらに、この発明のエレベータ用ロープは、かご２９を吊り下げるためのロープ以外のロープ、例えばコンペンロープやガバナロープ等にも適用することができる。
【符号の説明】
【００３２】
１  芯綱、２  外層ストランド、３  芯綱メインストランド、４  芯綱サブストランド、８  芯綱被覆体、２４  巻上機、２５  駆動シーブ、２８  エレベータ用ロープ、２９  かご。
【図１】
2014061958.tif 000003
【図２】
2014061958.tif 000004
【図３】
2014061958.tif 000005
【図４】
2014061958.tif 000006
【図５】
2014061958.tif 000007